(57)【要約】【課題】  精神や肉体の緊張をほぐすことができる手段を備えたミストシャワー装置の提供。【解決手段】  浴室に設置され霧状の湯水を噴出するミストシャワー装置１であって、ミストシャワー装置１に精神や肉体の緊張をほぐす手段を有し、前記精神や肉体の緊張をほぐす手段は、間接照明装置である間接照明部３やアロマテラピー効果を有する香料を吐出する装置である間接照明部３であり、間接照明部３からの間接照明により、浴室内にリラックスできるムード照明が演出でき、更に、香料吐水部４より吐出される香料によりアロマテラピー効果が演出できることにより、精神や肉体の緊張をほぐすことができるものである。【選択図】図１
2005304741.tif 000002
【特許請求の範囲】
【請求項１】
浴室に設置され霧状の湯水を噴出するミストシャワー装置であって、ミストシャワー装置に精神や肉体の緊張をほぐす手段備えてなるミストシャワー装置。
【請求項２】
前記精神や肉体の緊張をほぐす手段は、間接照明装置又はアロマテラピー効果を有する香料を吐出する装置であることを特徴とする請求項１記載のミストシャワー装置。
【発明の詳細な説明】
【技術分野】
【０００１】
本発明は、精神や肉体の緊張をほぐす手段を備えたミストシャワー装置に関するものである。
【背景技術】
【０００２】
従来、浴室に設置され霧状の湯水を噴出するミストシャワー装置としては、特開２００３−１９００３７号公報に記載されているものがある。このミストシャワー装置Ａは、図４に示すように、カラン１０５とハンドシャワー１０６とミストシャワー部１０９とを一体に設けて浴室内に設置されるものである。給湯器１０１に一端を接続した給湯用流路１１０を途中で二手に分岐させ、分岐した一方を浴室内に設置されるミストシャワー部１０９に接続し、分岐した他方を浴室内に設置されて浴室内のカラン１０５等に湯水を供給する混合栓１０４に接続し、上水道１０２と混合栓１０４とを給水用流路１１５にて接続し、前記給湯用流路１１０の分岐箇所とミストシャワー部１０９との間に電磁弁１１４を介在させると共に、浴室外に前記電磁弁１１４の開閉を操作するスイッチ部１１８を備えたものである。
【０００３】
ところで、最近、健康意識の高まりに合わせて、精神や肉体の緊張をほぐす手段を備えたミストシャワー装置の要望が高まっている。
【０００４】
しかし、上記構成によるミストシャワー装置Ａの場合は、予備暖房を行う際に寒さを感じることや温度調整を誤って火傷を負うことを防止するためのものである。
【特許文献１】特開２００３−１９００３７号公報
【発明の開示】
【発明が解決しようとする課題】
【０００５】
本願発明は、上記背景技術に鑑みて発明されたものであり、その課題は、精神や肉体の緊張をほぐすことができる手段を備えたミストシャワー装置を提供することである。
【課題を解決するための手段】
【０００６】
上記課題を解決するために、本願発明は、浴室に設置され霧状の湯水を噴出するミストシャワー装置であって、ミストシャワー装置に精神や肉体の緊張をほぐす手段を備えてなるものである。
【０００７】
また、前記精神や肉体の緊張をほぐす手段は、間接照明装置又はアロマテラピー効果を有する香料を吐出する装置であるものが好ましい。
【発明の効果】
【０００８】
本願発明のミストシャワー装置において、間接照明により、浴室内にリラックスできるムード照明が演出でき、更に、香料によりアロマテラピー効果が演出できることにより、精神や肉体の緊張をほぐすことができる。
【０００９】
また、ミストシャワー装置に精神や肉体の緊張をほぐす手段を備えることにより、浴室内の動作空間をコンパクトに多機能に使用できる。
【発明を実施するための最良の形態】
【００１０】
図１から図３は、請求項１及び請求項２に対応した一実施形態であるミストシャワー装置１である。このミストシャワー装置１は、ミストシャワー部２と、間接照明部３と、香料吐水部４と、を備えている。このものは、浴室内の床面から立設される壁面に取り付けられており、図１に示すように、上下方向に長尺の正面視略長方形状を成し、浴室の中央に向けて、上下方向に８個の噴出口６が略一直線上に配置されている。また、それぞれの側面には、間接照明部３の光を外部に導光する導光板７が設けてある。そして、この上部には、配管（図示せず）に接続された止水栓（図示せず）を覆う操作部カバー体５設けられている。
【００１１】
上記構成のミストシャワー装置１場合の、間接照明装置は間接照明部３であり、アロマテラピー効果を有する香料を吐出する装置は香料吐水部４である。
【００１２】
ミストシャワー部２は、内部に噴出口６に対応した噴出装置（図示せず）を有し、噴出口６を介して前記噴出装置からミストシャワーの噴出がおこなわれる。
【００１３】
間接照明部３は、図２に示すように、ミストシャワー装置１のそれぞれの側面に導光板７、例えば、シボ付導光板が備えられている。そして、それぞれの側面内部には、基板９に発光部材８、例えば、発光ダイオードが配置されている。発光部材８からの光は、導光板７を介して導出される。発光部材８が発光ダイオードの場合及び導光板７がシボ付導光板の場合、図２の矢印の方向に示すように、発光ダイオードのほのかな光がシボ付導光板から導光される。また、内部に発光ダイオードを点灯させるための点灯装置（図示せず）が内蔵されている。
【００１４】
香料吐水部４は、図３に示すように、香料吐出ボタン１０と、香料吐出口１１と、香料タンク１２と、バネ１３と、スイッチ１４と、を備えている。
【００１５】
香料吐出ボタン１０は、香料タンク１２に蓄えられた香料を香料吐出口１１から吐出の制御をおこなうためのものである。この場合は、香料吐出ボタン１０を押すと、内部に備えてあるスイッチ１４が押されて、香料タンク１２の所定の量の香料が香料吐出口１１より吐出される。なお、スイッチ１４は、バネ１３の反発力により自動で戻るようになっている。
【００１６】
このように構成されたミストシャワー装置１は、間接照明部３からの間接照明により、浴室内にリラックスできるムード照明が演出でき、更に、香料吐水部４より吐出される香料によりアロマテラピー効果が演出できることにより、精神や肉体の緊張をほぐすことができる。
【００１７】
また、ミストシャワー装置に精神や肉体の緊張をほぐす手段を備えることにより、浴室内の動作空間をコンパクトに多機能に使用できる。
【００１８】
なお、間接照明部３の発光部材８の取り付け位置及び大きさは、照明の色彩、強さ等に合わせて適宜決めればよい。また、発光部材８は、発光ダイオードなどの半導体素子や蛍光ランプ等の放電管を使用してもよい。
【００１９】
なお、香料吐出口１１の取り付け位置は、香料の種類、アロマテラピー効果等に合わせて、適宜決めればよい。また、香料吐出ボタン１０も香料の種類、アロマテラピー効果等に合わせて、適宜決めればよい。
【００２０】
なお、噴出口６は、浴室の中央に向けて、上下方向に８個の噴出口６が略一直線上に配置されているが、噴出口６の位置及び噴出口６の数は、霧状の湯水を噴出する噴出量、方向等により適宜決めればよい。
【００２１】
なお、上述した実施形態では、間接照明部３と、香料吐水部４と、を同じ装置に備えているが、間接照明部３又は香料吐水部４のどちらか一方でも精神や肉体の緊張をほぐすことができる。
【００２２】
なお、本発明の実施の形態のミストシャワー装置１を浴室内に設置した場合、例えば、本発明の実施の形態のミストシャワー装置１を浴室内に設置する場合、ミストシャワー装置１は、カラン（図示せず）と、ハンドシャワー（図示せず）と、を一体に設けて浴室内に設置されるものである。ミストシャワー装置１は、カラン（図示せず）と、ハンドシャワー（図示せず）と、を一体に設けて浴室内に設置してもよい。この場合、ミストシャワー部２を制御する操作スイッチを浴室内の床面から立設される壁面に設けると操作しやすくなる。
【００２３】
なお、ミストシャワー装置１の取り付け位置は、噴出口６のうちの最上部の噴出口６が前記浴室の床面から高さ１２００〜１２５０ミリに配設すると使用感の良いミストシャワー装置とすることができる。
【００２４】
なお、精神や肉体の緊張をほぐす（リラックス効果）ができる手段としては、上述した方法以外に、例えば、自然界の心地よさを再現するような癒し超音波（１／ｆゆらぎ）でもよい。
【図面の簡単な説明】
【００２５】
【図１】（ａ）本発明の一実施形態のミストシャワー装置の正面図、（ｂ）同上の側面断面図である。
【図２】同上の間接照明部の拡大断面図である。
【図３】同上の香料吐水部の拡大断面図である。
【図４】従来のミストシャワー装置の構成を説明する斜視図である。
【符号の説明】
【００２６】
１      ミストシャワー装置
２      ミストシャワー部
３      間接照明部
４      香料吐水部
【図１】
2005304741.tif 000003
【図２】
2005304741.tif 000004
【図３】
2005304741.tif 000005
【図４】
2005304741.tif 000006